【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
ダイバーが行う潜水によって該ダイバーの体内に蓄積される不活性ガスの量に基づき、該ダイバーの体内組織毎に無減圧潜水可能時間を繰り返し算出する算出手段と、
前記算出手段が前記無減圧潜水可能時間を算出する際の前記体内組織の算出順を決定する決定手段とを備え、
前記算出手段は、前記決定手段によって決定された算出順に従って、前記体内組織毎に前記無減圧潜水可能時間を算出することを特徴とするダイバーズ用情報処理装置。
【請求項２】
前記決定手段は、前記算出手段が行った前回の算出時において、算出された無減圧潜水可能時間が最小であった体内組織との半飽和時間の差の絶対値が小さい順に、今回の前記体内組織の算出順を決定することを特徴とする請求項１に記載のダイバーズ用情報処理装置。
【請求項３】
前記体内組織には、前記体内組織の半飽和時間の小さい或いは大きい順に体内組織番号が割り当てられており、
前記決定手段は、前記算出手段が行った前回の算出時において算出された無減圧潜水可能時間が最小であった体内組織の体内組織番号に対し、１の減算・加算を繰り返すことによって、又は加算・減算を繰り返すことによって、算出される体内組織番号順に今回の前記体内組織の算出順を決定することを特徴とする請求項１に記載のダイバーズ用情報処理装置。
【請求項４】
ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止することを特徴とするダイバーズ用情報処理装置。
【請求項５】
ダイバーが行う潜水によって該ダイバーの体内に蓄積される不活性ガスの量に基づいて、該ダイバーの体内組織毎に無減圧潜水可能時間を算出する算出手段を備えたダイバーズ用情報処理装置において、
前記算出手段は、前記ダイバーが用いる呼吸気に含まれる呼吸気不活性ガスの量が前記体内組織に対応する許容過飽和不活性ガス量より少ない場合には、該体内組織についての前記無減圧潜水可能時間の算出は行わないことを特徴とするダイバーズ用情報処理装置。
【請求項６】
ダイバーが用いる呼吸気に含まれる呼吸気不活性ガスの量を算出する呼吸気ガス量算出手段と、
前記呼吸気ガス量算出手段によって算出された呼吸気不活性ガスの量に基づき、前記ダイバーの体内に蓄積される体内不活性ガスの量を定期的に更新していく体内ガス量更新手段と、
前記体内ガス量更新手段によって更新された体内不活性ガスの量に基づいて、前記ダイバーの体内組織毎に無減圧潜水可能時間を繰り返し算出するＮＤＬ算出手段とを備え、
前記ＮＤＬ算出手段は、今回無減圧潜水可能時間を算出するタイミングが前記体内ガス量更新手段によって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とすることを特徴とするダイバーズ用情報処理装置。
【請求項７】
ダイバーが用いる呼吸気に含まれる呼吸気不活性ガスの量を算出する呼吸気ガス量算出手段と、
前記呼吸気ガス量算出手段によって算出された呼吸気不活性ガスの量に基づき、前記ダイバーの体内に蓄積される体内不活性ガスの量を定期的に更新していく体内ガス量更新手段と、
前記体内ガス量更新手段によって更新された体内不活性ガスの量に基づいて、前記ダイバーの体内組織毎に無減圧潜水可能時間を繰り返し算出するＮＤＬ算出手段とを備え、
前記ＮＤＬ算出手段は、今回無減圧潜水可能時間を算出するタイミングが前記体内ガス量更新手段によって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とすることを特徴とするダイバーズ用情報処理装置。
【請求項８】
ダイバーが行う潜水によって該ダイバーの体内に蓄積される不活性ガスの量に基づき、該ダイバーの体内組織毎に無減圧潜水可能時間を算出する算出手段を備えたダイバーズ用情報処理装置において、
前記算出手段は、前記ダイバーが用いる呼吸気に含まれる呼吸気不活性ガスの量が前記体内組織に対応する許容過飽和不活性ガス量より多い又は等しい場合に、前記ダイバーの潜水時間に対して所定時間を仮想的に繰り返し加算し、ある体内組織について、その加算後の前記ダイバーの体内に蓄積される不活性ガスの量が許容過飽和不活性ガスの量を超えた際の前記潜水時間を、前記無減圧潜水可能時間とすることを特徴とするダイバーズ用情報処理装置。
【請求項９】
ダイバーが行う潜水によって該ダイバーの体内に蓄積される不活性ガスの量に基づき、該ダイバーの体内組織毎に無減圧潜水可能時間を繰り返し算出する算出ステップと、
前記算出ステップが前記無減圧潜水可能時間を算出する際の前記体内組織の算出順を決定する決定ステップとを備え、
前記算出ステップにおいては、前記決定ステップによって決定された算出順に従って、前記体内組織毎に前記無減圧潜水可能時間を算出することを特徴とするダイバーズ用情報処理装置の情報処理方法。
【請求項１０】
ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止することを特徴とするダイバーズ用情報処理装置の情報処理方法。
【請求項１１】
ダイバーが行う潜水によって該ダイバーの体内に蓄積される不活性ガスの量に基づいて、該ダイバーの体内組織毎に無減圧潜水可能時間を算出するダイバーズ用情報処理装置の情報処理方法において、
前記ダイバーが用いる呼吸気に含まれる呼吸気不活性ガスの量が前記体内組織に対応する許容過飽和不活性ガス量より少ない場合には、該体内組織についての前記無減圧潜水可能時間の算出は行わないことを特徴とするダイバーズ用情報処理装置の情報処理方法。
【請求項１２】
ダイバーが用いる呼吸気に含まれる呼吸気不活性ガスの量を算出する呼吸気ガス量算出ステップと、
前記呼吸気ガス量算出ステップによって算出された呼吸気不活性ガスの量に基づき、前記ダイバーの体内に蓄積される体内不活性ガスの量を定期的に更新していく体内ガス量更新ステップと、
前記体内ガス量更新ステップによって更新された体内不活性ガスの量に基づいて、前記ダイバーの体内組織毎に無減圧潜水可能時間を繰り返し算出するＮＤＬ算出ステップとを備え、
前記ＮＤＬ算出ステップにおいては、今回無減圧潜水可能時間を算出するタイミングが前記体内ガス量更新ステップによって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とすることを特徴とするダイバーズ用情報処理装置の情報処理方法。
【請求項１３】
ダイバーが用いる呼吸気に含まれる呼吸気不活性ガスの量を算出する呼吸気ガス量算出ステップと、
前記呼吸気ガス量算出ステップによって算出された呼吸気不活性ガスの量に基づき、前記ダイバーの体内に蓄積される体内不活性ガスの量を定期的に更新していく体内ガス量更新ステップと、
前記体内ガス量更新ステップによって更新された体内不活性ガスの量に基づいて、前記ダイバーの体内組織毎に無減圧潜水可能時間を繰り返し算出するＮＤＬ算出ステップとを備え、
前記ＮＤＬ算出ステップにおいては、今回無減圧潜水可能時間を算出するタイミングが前記体内ガス量更新ステップによって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とすることを特徴とするダイバーズ用情報処理装置の情報処理方法。
【請求項１４】
ダイバーが行う潜水によって該ダイバーの体内に蓄積される不活性ガスの量に基き、該ダイバーの体内組織毎に無減圧潜水可能時間を算出するダイバーズ用情報処理装置の情報処理方法において、
前記ダイバーが用いる呼吸気に含まれる呼吸気不活性ガスの量が前記体内組織に対応する許容過飽和不活性ガス量より多い又は等しい場合に、前記ダイバーの潜水時間に対して所定時間を仮想的に繰り返し加算し、ある体内組織について、その加算後の前記ダイバーの体内に蓄積される不活性ガスの量が許容過飽和不活性ガスの量を超えた際の前記潜水時間を、前記無減圧潜水可能時間とすることを特徴とするダイバーズ用情報処理装置の情報処理方法。
【請求項１５】
コンピュータに、
ダイバーの体内組織毎に無減圧潜水可能時間を算出する際の、前記体内組織の算出順を決定する決定機能と、
ダイバーが行う潜水によって前記ダイバーの体内に蓄積される不活性ガスの量に基づき、前記決定機能によって決定された算出順に従って、前記体内組織毎の無減圧潜水可能時間を算出する算出機能と
を実現させるためのプログラム。
【請求項１６】
コンピュータに、
ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止する機能を実現させるためのプログラム。
【請求項１７】
コンピュータに、
ダイバーが行う潜水によって該ダイバーの体内に蓄積される不活性ガスの量に基づいて、該ダイバーの体内組織毎に無減圧潜水可能時間を算出する際に、前記ダイバーが用いる呼吸気に含まれる呼吸気不活性ガスの量が前記体内組織に対応する許容過飽和不活性ガス量より少ない場合には、該体内組織についての前記無減圧潜水可能時間の算出は行わない算出機能と
を実現させるためのプログラム。
【請求項１８】
コンピュータに、
ダイバーが用いる呼吸気に含まれる呼吸気不活性ガスの量を算出する呼吸気ガス量算出機能と、
前記呼吸気ガス量算出機能によって算出された呼吸気不活性ガスの量に基づき、前記ダイバーの体内に蓄積される体内不活性ガスの量を定期的に更新していく体内ガス量更新機能と、
前記体内ガス量更新機能によって更新された体内不活性ガスの量に基づいて、前記ダイバーの体内組織毎に無減圧潜水可能時間を繰り返し算出する際に、今回無減圧潜水可能時間を算出するタイミングが前記体内ガス量更新機能によって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とするＮＤＬ算出機能と
を実現させるためのプログラム。
【請求項１９】
コンピュータに、
ダイバーが用いる呼吸気に含まれる呼吸気不活性ガスの量を算出する呼吸気ガス量算出機能と、
前記呼吸気ガス量算出機能によって算出された呼吸気不活性ガスの量に基づき、前記ダイバーの体内に蓄積される体内不活性ガスの量を定期的に更新していく体内ガス量更新機能と、
前記体内ガス量更新機能によって更新された体内不活性ガスの量に基づいて、前記ダイバーの体内組織毎に無減圧潜水可能時間を繰り返し算出する際に、今回無減圧潜水可能時間を算出するタイミングが前記体内ガス量更新機能によって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とするＮＤＬ算出機能と
を実現させるためのプログラム。
【請求項２０】
コンピュータに、
ダイバーが行う潜水によって該ダイバーの体内に蓄積される不活性ガスの量に基づき、該ダイバーの体内組織毎に無減圧潜水可能時間を算出する際に、前記ダイバーが用いる呼吸気に含まれる呼吸気不活性ガスの量が前記体内組織に対応する許容過飽和不活性ガス量より多い又は等しい場合に、前記ダイバーの潜水時間に対して所定時間を仮想的に繰り返し加算し、ある体内組織について、その加算後の前記ダイバーの体内に蓄積される不活性ガスの量が許容過飽和不活性ガスの量を超えた際の前記潜水時間を、前記無減圧潜水可能時間とする算出機能を実現させるためのプログラム。
【請求項２１】
請求項１５〜２０のいずれかに記載のプログラムを記録したコンピュータ読み取り可能な記録媒体。
【手続補正２】
【補正対象書類名】明細書
【補正対象項目名】００１２
【補正方法】変更
【補正の内容】
【００１２】
また、本発明は、ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止することを特徴とするダイバーズ用情報処理装置を提供する。


【手続補正３】
【補正対象書類名】明細書
【補正対象項目名】００１４
【補正方法】変更
【補正の内容】
【００１４】
また、本発明は、ダイバーが用いる呼吸気に含まれる呼吸気不活性ガスの量を算出する呼吸気ガス量算出手段と、前記呼吸気ガス量算出手段によって算出された呼吸気不活性ガスの量に基づき、前記ダイバーの体内に蓄積される体内不活性ガスの量を定期的に更新していく体内ガス量更新手段と、前記体内ガス量更新手段によって更新された体内不活性ガスの量に基づいて、前記ダイバーの体内組織毎に無減圧潜水可能時間を繰り返し算出するＮＤＬ算出手段とを備え、前記ＮＤＬ算出手段は、今回無減圧潜水可能時間を算出するタイミングが前記体内ガス量更新手段によって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とすることを特徴とするダイバーズ用情報処理装置を提供する。


【手続補正４】
【補正対象書類名】明細書
【補正対象項目名】００１５
【補正方法】変更
【補正の内容】
【００１５】
また、本発明は、ダイバーが用いる呼吸気に含まれる呼吸気不活性ガスの量を算出する呼吸気ガス量算出手段と、前記呼吸気ガス量算出手段によって算出された呼吸気不活性ガスの量に基づき、前記ダイバーの体内に蓄積される体内不活性ガスの量を定期的に更新していく体内ガス量更新手段と、前記体内ガス量更新手段によって更新された体内不活性ガスの量に基づいて、前記ダイバーの体内組織毎に無減圧潜水可能時間を繰り返し算出するＮＤＬ算出手段とを備え、前記ＮＤＬ算出手段は、今回無減圧潜水可能時間を算出するタイミングが前記体内ガス量更新手段によって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とすることを特徴とするダイバーズ用情報処理装置を提供する。


【手続補正５】
【補正対象書類名】明細書
【補正対象項目名】００１８
【補正方法】変更
【補正の内容】
【００１８】
また、本発明は、ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止することを特徴とするダイバーズ用情報処理装置の情報処理方法を提供する。


【手続補正６】
【補正対象書類名】明細書
【補正対象項目名】００２０
【補正方法】変更
【補正の内容】
【００２０】
また、本発明は、ダイバーが用いる呼吸気に含まれる呼吸気不活性ガスの量を算出する呼吸気ガス量算出ステップと、前記呼吸気ガス量算出ステップによって算出された呼吸気不活性ガスの量に基づき、前記ダイバーの体内に蓄積される体内不活性ガスの量を定期的に更新していく体内ガス量更新ステップと、前記体内ガス量更新ステップによって更新された体内不活性ガスの量に基づいて、前記ダイバーの体内組織毎に無減圧潜水可能時間を繰り返し算出するＮＤＬ算出ステップとを備え、前記ＮＤＬ算出ステップにおいては、今回無減圧潜水可能時間を算出するタイミングが前記体内ガス量更新ステップによって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とすることを特徴とするダイバーズ用情報処理装置の情報処理方法を提供する。


【手続補正７】
【補正対象書類名】明細書
【補正対象項目名】００２１
【補正方法】変更
【補正の内容】
【００２１】
また、本発明は、ダイバーが用いる呼吸気に含まれる呼吸気不活性ガスの量を算出する呼吸気ガス量算出ステップと、前記呼吸気ガス量算出ステップによって算出された呼吸気不活性ガスの量に基づき、前記ダイバーの体内に蓄積される体内不活性ガスの量を定期的に更新していく体内ガス量更新ステップと、前記体内ガス量更新ステップによって更新された体内不活性ガスの量に基づいて、前記ダイバーの体内組織毎に無減圧潜水可能時間を繰り返し算出するＮＤＬ算出ステップとを備え、前記ＮＤＬ算出ステップにおいては、今回無減圧潜水可能時間を算出するタイミングが前記体内ガス量更新ステップによって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とすることを特徴とするダイバーズ用情報処理装置の情報処理方法を提供する。


【手続補正８】
【補正対象書類名】明細書
【補正対象項目名】００２４
【補正方法】変更
【補正の内容】
【００２４】
また、本発明は、コンピュータに、ダイバーの潜水時間に対して所定時間を仮想的に繰り返し加算していき、その加算後の前記ダイバーの体内に蓄積される不活性ガスの量が各体内組織の許容過飽和不活性ガスの量を超えるか否かによって、各体内組織についての無減圧潜水可能時間を算出していく際に、ある１つの体内組織について算出途中の無減圧潜水時間が、その他の体内組織について算出された無減圧潜水可能時間のうちの最小値を超える場合には、前記１つの体内組織についての無減圧潜水可能時間の算出を中止する機能を実現させるためのプログラムを提供する。


【手続補正９】
【補正対象書類名】明細書
【補正対象項目名】００２６
【補正方法】変更
【補正の内容】
【００２６】
また、本発明は、コンピュータに、ダイバーが用いる呼吸気に含まれる呼吸気不活性ガスの量を算出する呼吸気ガス量算出機能と、前記呼吸気ガス量算出機能によって算出された呼吸気不活性ガスの量に基づき、前記ダイバーの体内に蓄積される体内不活性ガスの量を定期的に更新していく体内ガス量更新機能と、前記体内ガス量更新機能によって更新された体内不活性ガスの量に基づいて、前記ダイバーの体内組織毎に無減圧潜水可能時間を繰り返し算出する際に、今回無減圧潜水可能時間を算出するタイミングが前記体内ガス量更新機能によって前記体内不活性ガスの量を更新するタイミングでなく、かつ今回計測された呼吸気不活性ガスの量が前回の呼吸気不活性ガスの量と等しい場合は、前回無減圧潜水可能時間を前記今回無減圧潜水可能時間とするＮＤＬ算出機能とを実現させるためのプログラムを提供する。


【手続補正１０】
【補正対象書類名】明細書
【補正対象項目名】００２７
【補正方法】変更
【補正の内容】
【００２７】
また、本発明は、コンピュータに、ダイバーが用いる呼吸気に含まれる呼吸気不活性ガスの量を算出する呼吸気ガス量算出機能と、前記呼吸気ガス量算出機能によって算出された呼吸気不活性ガスの量に基づき、前記ダイバーの体内に蓄積される体内不活性ガスの量を定期的に更新していく体内ガス量更新機能と、前記体内ガス量更新機能によって更新された体内不活性ガスの量に基づいて、前記ダイバーの体内組織毎に無減圧潜水可能時間を繰り返し算出する際に、今回無減圧潜水可能時間を算出するタイミングが前記体内ガス量更新機能によって前記体内不活性ガスの量を更新するタイミングであり、かつ今回計測された呼吸気不活性ガスの量が前回の呼吸気不活性ガスの量と等しく、かつ前回無減圧潜水可能時間が予め設定された最大無減圧潜水可能時間より小さい場合には、前記前回無減圧潜水可能時間を算出したタイミングから前記今回無減圧潜水可能時間を算出するタイミングまでの経過時間を、前記前回無減圧潜水可能時間から減算した時間を前記今回無減圧潜水可能時間とするＮＤＬ算出機能とを実現させるためのプログラムを提供する。


【手続補正１１】
【補正対象書類名】明細書
【補正対象項目名】００４０
【補正方法】変更
【補正の内容】
【００４０】
（３）体内組織毎の半飽和時間と許容過飽和不活性ガス分圧
ここで、体内組織の半飽和時間と許容過飽和不活性ガス分圧について説明する。
体内組織には、不活性ガスの吸収、排出が速い組織と遅い組織があるが、ある体内組織が新しい圧力で飽和される速度は、主に不活性ガスの体内組織への溶け易さと、血流の速さによって定まる。例えば、脂肪組織は、血液の流れが少ないため、飽和するのに長い時間がかかる。一方、脳は血流がよく、その結果速く飽和する。すなわち、血液、脳等が飽和が速い組織であり、骨髄、軟骨、脂肪組織等が遅い組織である。これらの体内組織の違いを表す指標として、半飽和時間と許容過飽和不活性ガス分圧がある。例えば、A.A.Buhlmann著の「Decompression-Decompression
Sickness」では、体内組織を１６種類に区分することが提案されている。なお、この体内組織の分類は、圧力による体内状態の変化を数学的に近似するために理論上分類したものであり、この体内組織と実際の脳、骨髄等とが１対１に対応しているわけではない。
図３は、１６分類された体内組織毎の、不活性ガスである窒素とヘリウムの半飽和時間Ｔｈ、及び許容過飽和窒素分圧Ｍ０の一覧表であり、窒素の半飽和時間が小さいものから「１」〜「１６」の体内組織番号ＣＯＭＰｎを付している。
図３より、窒素の半飽和時間Ｔｈが増加するほど、許容過飽和窒素分圧Ｍ０は減少しており、半飽和時間Ｔｈが速い組織ほど許容過飽和窒素分圧Ｍ０が大きいことがわかる。これら図３の値は、ダイブコンピュータ１のＲＯＭ５３の体内組織テーブル５３ａに記憶されている。


【手続補正１２】
【補正対象書類名】明細書
【補正対象項目名】００４４
【補正方法】変更
【補正の内容】
【００４４】
上記のようにして、呼吸気窒素分圧Ｐａ（ｔ）が算出されると、次に、窒素の吸収／排出の速度が異なる体内組織毎にそれぞれ体内窒素分圧ＰＧＴ（ｔ＋△ｔ）が計算される。
例えば、ある一つの体内組織を例に取ると、潜水時間ｔ〜ｔ＋△ｔまでに吸収／排出する体内窒素分圧ＰＧＴ（ｔ＋△ｔ）は、計算開始時ｔの体内窒素分圧ＰＧＴ（ｔ）として、次式によって計算される。
2003262685.tif 000001
ここで、Ｋは実験的に求められる定数である。また、Ｔｈは半飽和時間であり、図３に示す通り各体内組織によって異なる数値である。


【手続補正１３】
【補正対象書類名】明細書
【補正対象項目名】００６４
【補正方法】変更
【補正の内容】
【００６４】
ここで、ステップＳ２２においては、前述の体内組織番号１の計算時には最小無減圧潜水可能時間ＮＤＬminに「２００」が設定されていたためＮＤＬ＜ＮＤＬminとなったが、体内組織番号２以降の計算時には、最小無減圧潜水可能時間ＮＤＬminには現在計算を行っている体内組織よりも前の体内組織で算出された最小値が設定されているため、計算途中でＮＤＬ≧ＮＤＬminとなる場合がある。
ＮＤＬ≧ＮＤＬminとなる場合には（ステップＳ２２；Ｙｅｓ）、現在計算中の体内組織よりも前に計算された体内組織において、短時間又は同一時間の無減圧潜水可能時間ＮＤＬｎが既に算出されていることを意味し、これ以上計算処理を継続しても最小無減圧潜水可能時間ＮＤＬminの値は変わらないため、ＣＰＵ５１は、無減圧潜水可能時間ＮＤＬｎにワーク無減圧潜水可能時間ＮＤＬを設定し（ステップＳ２３）、現在の体内組織の計算を行うのを止めて、次の体内組織の計算を行うためにステップＳ２４に進む。


【手続補正１４】
【補正対象書類名】明細書
【補正対象項目名】００９０
【補正方法】変更
【補正の内容】
【００９０】
ここで、図３の体内組織テーブル５３ａからわかる通り、体内組織番号ＣＯＭＰｎが増加するほど、許容過飽和窒素分圧Ｍ０は減少しているため、体内組織番号ＣＯＭＰｎにおいてＰａ≧Ｍ０ｎの場合、体内組織番号ＣＯＭＰｎより大きい体内組織番号ＣＯＭＰｉ（ｎ＜ｉ≦１６）においては、Ｐａ≧Ｍ０ｉであることは明らかであるため、各体内組織番号ＣＯＭＰｉについての比較処理のステップＳ１３を省いてステップＳ１５の処理を行っている。
そして、後述する２回目以降の処理において、Ｐａ≧Ｍ０ｎであるＣＯＭＰmin以上の各体内組織番号ＣＯＭＰｎについて、計算を行うこととなる。


【手続補正１５】
【補正対象書類名】明細書
【補正対象項目名】０１０１
【補正方法】変更
【補正の内容】
【０１０１】
Ｃ：変形例
（１）体内組織の算出順の決定手段
本第１実施形態においては、体内組織の算出順を決定する方法として、最小体内組織番号ＣＯＭＰminの半飽和時間Ｔｈと、未処理の体内組織番号ＣＯＭＰｎとの半飽和時間Ｔｈとの差の絶対値が最小である体内組織を、次に計算する体内組織としたが、この方法に限らず、経験則等から適当と思われる順番を予め定義しておいてもよい。
例えば、前回の算出時において、算出された無減圧潜水可能時間が最小であった体内組織の体内組織番号に対し、１の減算・加算を繰り返すことによって、又は加算・減算を繰り返すことによって、算出される体内組織番号順を算出順とする。
具体例を挙げると、ＣＯＭＰmin＝「４」の場合、減算・加算を繰り返した場合の２番目以降の算出順は、ＣＯＭＰｎ＝「３」→「５」→「２」→「６」→「１」→「７」→「８」→「９」→・・・→「１６」、または、加算・減算を繰り返した場合の２番目以降の算出順は、ＣＯＭＰｎ＝「５」→「３」→「６」→「２」→「７」→「１」→「８」→「９」→・・・→「１６」となる。
なお、図３の体内組織番号は、半飽和時間の小さい順に割り当てたが、半飽和時間の大きい順に割り当ててもよく、この場合も上記と同様の方法を用いて算出順を決定することが可能である。


【手続補正１６】
【補正対象書類名】明細書
【補正対象項目名】０１０２
【補正方法】変更
【補正の内容】
【０１０２】
（２）不活性ガスの種類
本実施形態では、不活性ガスとして窒素を想定しているが、これに限らず、例えばヘリウムガスであってもよい。但し、半飽和時間Ｔｈは、不活性ガスの種類によって異なり、ヘリウムの半飽和時間Ｔｈは、図３に示した通りである。
上述したトライミックスについて体内不活性ガス分圧ＰＧＴ（ｔ）を求める場合には、まず、窒素とヘリウムの各々について(2)式を用いて体内窒素分圧と体内ヘリウム分圧を求める。次いで、これらの体内窒素分圧と体内ヘリウム分圧を足して、最終的に求めるべき体内不活性ガス分圧を算出するようになっている。このように呼吸気中に２種類以上の不活性ガスが混合されている場合、まず、各々の不活性ガスに着目して計算した後、その計算結果を合計して不活性ガス全体についての数値を算出する。